【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
第１の出力装置における色再現に基づいて第２の出力装置の色再現目標値を生成する画像処理装置であって、
前記第１の出力装置の色域情報と前記第２の出力装置の色域情報を取得する色域情報取得部と、
前記色域情報取得部で取得された各色域情報に基づいて前記第１の出力装置の色再現目標値を前記第２の出力装置の色域に対応するように修正することにより前記第２の出力装置の色再現目標値を生成する目標値生成部と
を備えたことを特徴とする画像処理装置。
【請求項２】
前記第１の出力装置の色再現目標値は、所定の管理値に対する前記第１の出力装置の出力値である請求項１に記載の画像処理装置。
【請求項３】
前記所定の管理値は、記憶色である請求項２に記載の画像処理装置。
【請求項４】
前記第１の出力装置および前記第２の出力装置は、プリンタまたはモニタから構成される請求項１〜３のいずれか一項に記載の画像処理装置。
【請求項５】
前記色域情報取得部で取得された各色域情報に基づき前記第１の出力装置の色域と前記第２の出力装置の色域との差分を算出する色域差分算出部をさらに備え、
前記目標値生成部は、前記色域差分算出部で算出された色域の差分に基づいて前記第１の出力装置の色再現目標値を修正することにより前記第２の出力装置の色再現目標値を生成する請求項１〜４のいずれか一項に記載の画像処理装置。
【請求項６】
前記目標値生成部は、
前記第１の出力装置の色再現目標値を通る曲線を表す修正関数と前記色域差分算出部で算出された色域の差分に基づいて、前記第１の出力装置における再現色と近似した再現色を前記第２の出力装置により得るために必要な色再現目標値の修正量を算出し、
算出された前記修正量だけ前記第１の出力装置の色再現目標値を修正して前記第２の出力装置の色再現目標値を生成する請求項５に記載の画像処理装置。
【請求項７】
前記修正関数は、互いに異なる色域において再現色が近似するように予め設定された色再現目標値の関係を表す基準の修正関数を、前記第１の出力装置の色再現目標値に基づいて補正したものである請求項６に記載の画像処理装置。
【請求項８】
前記修正関数は、第１の出力装置の出力値または測色値に基づき、前記基準の修正関数を補正したものである請求項７に記載の画像処理装置。
【請求項９】
前記基準の修正関数は、心理物理実験により設定される請求項７または８に記載の画像処理装置。
【請求項１０】
前記目標値生成部は、
前記色域差分算出部で算出された色域の差分と入力色信号の色情報とに基づいて前記第１の出力装置の色再現目標値を修正することにより前記第２の出力装置の色再現目標値を生成する請求項５〜９のいずれか一項に記載の画像処理装置。
【請求項１１】
前記色域情報取得部は、互いに色域の異なる複数の前記第１の出力装置の色域情報と前記第２の出力装置の色域情報を取得し、
前記色域差分算出部は、複数の前記第１の出力装置の色域と前記第２の出力装置の色域との差分をそれぞれ算出し、
前記目標値生成部は、前記色域差分算出部で算出された前記第２の出力装置の色域との差分が最も小さい色域を有する前記第１の出力装置の色再現目標値を用いて前記第２の出力装置の色再現目標値を生成する請求項５〜９のいずれか一項に記載の画像処理装置。
【請求項１２】
前記色域情報取得部は、
前記第１の出力装置および前記第２の出力装置からそれぞれプロファイルを読み込むプロファイル読み込み部と、
前記プロファイル読み込み部で読み込んだ前記第１の出力装置のプロファイルから前記第１の出力装置の色域情報を算出すると共に前記第２の出力装置のプロファイルから前記第２の出力装置の色域情報を算出する色域算出部と
を有する請求項５〜１１のいずれか一項に記載の画像処理装置。
【請求項１３】
前記色域情報取得部は、
前記第２の出力装置からプロファイルを読み込むプロファイル読み込み部と、
前記第１の出力装置に対応して予め設定された基準プロファイルから前記第１の出力装置の色域情報を算出すると共に前記第２の出力装置のプロファイルから前記第２の出力装置の色域情報を算出する色域算出部と
を有する請求項５〜１１のいずれか一項に記載の画像処理装置。
【請求項１４】
前記色域情報取得部は、
入力色信号に対応する再現色値と前記第１の出力装置の色再現目標値との差分に基づいて前記第１の出力装置のマッピングベクトルを算出するマッピングベクトル算出部と、
前記マッピングベクトル算出部で算出されたマッピングベクトルから前記第１の出力装置におけるマッピング特徴を取得するマッピング特徴解析部と、
前記第２の出力装置からプロファイルを読み込むプロファイル読み込み部と、
前記プロファイル読み込み部で読み込んだ前記第２の出力装置のプロファイルから前記第２の出力装置の色域情報を算出する色域算出部と
を有し、
前記目標値生成部は、前記マッピング特徴解析部で得られた前記第１の出力装置のマッピング特徴と前記色域算出部で算出された前記第２の出力装置の色域情報に基づいて前記第２の出力装置の色再現目標値を生成する請求項１〜４のいずれか一項に記載の画像処理装置。
【請求項１５】
前記目標値生成部は、前記第１の出力装置のマッピング特徴、前記第２の出力装置の色域情報、および前記第１の出力装置の色再現目標値を通る曲線を表す修正関数に基づいて、前記第１の出力装置における再現色と近似した再現色となるように前記第２の出力装置の色再現目標値を生成する請求項１４に記載の画像処理装置。
【請求項１６】
前記マッピング特徴解析部は、前記第１の出力装置のマッピングにおける重み付けの特徴を取得し、
前記目標値生成部は、前記マッピング特徴解析部で得られたマッピングの重みを加えて前記第１の出力装置の色再現目標値を修正することにより、前記第２の出力装置の色再現目標値を生成する請求項１４または１５に記載の画像処理装置。
【請求項１７】
前記マッピング特徴解析部は、前記マッピングベクトル算出部で算出されたマッピングベクトルの大きさが所定値より小さい固定領域と所定値以上のマッピング領域とを特定し、
前記目標値生成部は、前記固定領域に対しては前記第１の出力装置の色再現目標値を修正することなくそのまま前記第２の出力装置の色再現目標値とし、前記マッピング領域に対しては前記第１の出力装置の色再現目標値を修正することにより前記第２の出力装置の色再現目標値を生成する請求項１４〜１６のいずれか一項に記載の画像処理装置。
【請求項１８】
前記目標値生成部で生成された前記第２の出力装置の色再現目標値を用いて入力色信号に対する前記第２の出力装置の色再現目標値を表すＬＵＴを作成するＬＵＴ作成部をさらに備えた請求項１〜１７のいずれか一項に記載の画像処理装置。
【請求項１９】
前記ＬＵＴ作成部は、前記第１の出力装置の色再現目標値を表すＬＵＴを修正して前記第２の出力装置の色再現目標値を表すＬＵＴを作成する請求項１８に記載の画像処理装置。
【請求項２０】
前記第１の出力装置および前記第２の出力装置は、単一チャンネルの色域を有する請求項１〜１９のいずれか一項に記載の画像処理装置。
【請求項２１】
前記第１の出力装置および前記第２の出力装置は、複数チャンネルの色域を有する請求項１〜１９のいずれか一項に記載の画像処理装置。
【請求項２２】
第１の出力装置における色再現に基づいて第２の出力装置の色再現目標値を生成する方法であって、
前記第１の出力装置の色域情報と前記第２の出力装置の色域情報を取得し、
取得された各色域情報に基づいて前記第１の出力装置の色再現目標値を前記第２の出力装置の色域に対応するように修正することにより前記第２の出力装置の色再現目標値を生成する
ことを特徴とする画像処理方法。
【請求項２３】
第１の出力装置における色再現に基づいて第２の出力装置の色再現目標値を生成する方法をコンピュータに実行させるための画像処理プログラムであって、
前記第１の出力装置の色域情報と前記第２の出力装置の色域情報を取得するステップと、
取得された各色域情報に基づいて前記第１の出力装置の色再現目標値を前記第２の出力装置の色域に対応するように修正することにより前記第２の出力装置の色再現目標値を生成するステップと
を有することを特徴とする画像処理プログラム。
【請求項２４】
第１の出力装置における色再現に基づいて第２の出力装置の色再現目標値を生成する方法をコンピュータに実行させるための画像処理プログラムを格納する記録媒体であって、
前記画像処理プログラムが、
前記第１の出力装置の色域情報と前記第２の出力装置の色域情報を取得するステップと、
取得された各色域情報に基づいて前記第１の出力装置の色再現目標値を前記第２の出力装置の色域に対応するように修正することにより前記第２の出力装置の色再現目標値を生成するステップと
を有することを特徴とする画像処理プログラム記録媒体。
【手続補正２】
【補正対象書類名】明細書
【補正対象項目名】０００７
【補正方法】変更
【補正の内容】
【０００７】
上記目的を達成するために、本発明に係る画像処理装置は、第１の出力装置における色再現に基づいて第２の出力装置の色再現目標値を生成する画像処理装置であって、前記第１の出力装置の色域情報と前記第２の出力装置の色域情報を取得する色域情報取得部と、前記色域情報取得部で取得された各色域情報に基づいて前記第１の出力装置の色再現目標値を前記第２の出力装置の色域に対応するように修正することにより前記第２の出力装置の色再現目標値を生成する目標値生成部とを備えたものである。
【手続補正３】
【補正対象書類名】明細書
【補正対象項目名】０００８
【補正方法】変更
【補正の内容】
【０００８】
ここで、前記第１の出力装置の色再現目標値は、所定の管理値に対する前記第１の出力装置の出力値であるのが好ましい。また、前記所定の管理値は、記憶色であるのが好ましい。
また、前記第１の出力装置および前記第２の出力装置は、プリンタまたはモニタから構成することができる。
また、前記色域情報取得部で取得された各色域情報に基づき前記第１の出力装置の色域と前記第２の出力装置の色域との差分を算出する色域差分算出部をさらに備え、前記目標値生成部は、前記色域差分算出部で算出された色域の差分に基づいて前記第１の出力装置の色再現目標値を修正することにより前記第２の出力装置の色再現目標値を生成することができる。
【手続補正４】
【補正対象書類名】明細書
【補正対象項目名】０００９
【補正方法】変更
【補正の内容】
【０００９】
また、前記目標値生成部は、前記第１の出力装置の色再現目標値を通る曲線を表す修正関数と前記色域差分算出部で算出された色域の差分に基づいて、前記第１の出力装置における再現色と近似した再現色を前記第２の出力装置により得るために必要な色再現目標値の修正量を算出し、算出された前記修正量だけ前記第１の出力装置の色再現目標値を修正して前記第２の出力装置の色再現目標値を生成することができる。
【手続補正５】
【補正対象書類名】明細書
【補正対象項目名】００１０
【補正方法】変更
【補正の内容】
【００１０】
また、前記修正関数は、互いに異なる色域において再現色が近似するように予め設定された色再現目標値の関係を表す基準の修正関数を、前記第１の出力装置の色再現目標値に基づいて補正したものであるのが好ましい。また、前記修正関数は、第１の出力装置の出力値または測色値に基づき、前記基準の修正関数を補正したものであるのが好ましい。
また、前記基準の修正関数は、心理物理実験により設定することができる。
【手続補正６】
【補正対象書類名】明細書
【補正対象項目名】００１２
【補正方法】変更
【補正の内容】
【００１２】
また、前記色域情報取得部は、互いに色域の異なる複数の前記第１の出力装置の色域情報と前記第２の出力装置の色域情報を取得し、前記色域差分算出部は、複数の前記第１の出力装置の色域と前記第２の出力装置の色域との差分をそれぞれ算出し、前記目標値生成部は、前記色域差分算出部で算出された前記第２の出力装置の色域との差分が最も小さい色域を有する前記第１の出力装置の色再現目標値を用いて前記第２の出力装置の色再現目標値を生成することができる。
また、前記色域情報取得部は、前記第１の出力装置および前記第２の出力装置からそれぞれプロファイルを読み込むプロファイル読み込み部と、前記プロファイル読み込み部で読み込んだ前記第１の出力装置のプロファイルから前記第１の出力装置の色域情報を算出すると共に前記第２の出力装置のプロファイルから前記第２の出力装置の色域情報を算出する色域算出部とを有してもよい。
また、前記色域情報取得部は、前記第２の出力装置からプロファイルを読み込むプロファイル読み込み部と、前記第１の出力装置に対応して予め設定された基準プロファイルから前記第１の出力装置の色域情報を算出すると共に前記第２の出力装置のプロファイルから前記第２の出力装置の色域情報を算出する色域算出部とを有してもよい。
【手続補正７】
【補正対象書類名】明細書
【補正対象項目名】００１４
【補正方法】変更
【補正の内容】
【００１４】
ここで、前記目標値生成部は、前記第１の出力装置のマッピング特徴、前記第２の出力装置の色域情報、および前記第１の出力装置の色再現目標値を通る曲線を表す修正関数に基づいて、前記第１の出力装置における再現色と近似した再現色となるように前記第２の出力装置の色再現目標値を生成してもよい。
また、前記マッピング特徴解析部は、前記第１の出力装置のマッピングにおける重み付けの特徴を取得し、前記目標値生成部は、前記マッピング特徴解析部で得られたマッピングの重みを加えて前記第１の出力装置の色再現目標値を修正することにより、前記第２の出力装置の色再現目標値を生成してもよい。
また、前記マッピング特徴解析部は、前記マッピングベクトル算出部で算出されたマッピングベクトルの大きさが所定値より小さい固定領域と所定値以上のマッピング領域とを特定し、前記目標値生成部は、前記固定領域に対しては前記第１の出力装置の色再現目標値を修正することなくそのまま前記第２の出力装置の色再現目標値とし、前記マッピング領域に対しては前記第１の出力装置の色再現目標値を修正することにより前記第２の出力装置の色再現目標値を生成するのが好ましい。
【手続補正８】
【補正対象書類名】明細書
【補正対象項目名】００１５
【補正方法】変更
【補正の内容】
【００１５】
また、前記目標値生成部で生成された前記第２の出力装置の色再現目標値を用いて入力色信号に対する前記第２の出力装置の色再現目標値を表すＬＵＴを作成するＬＵＴ作成部をさらに備えていることが好ましい。また、前記ＬＵＴ作成部は、前記第１の出力装置の色再現目標値を表すＬＵＴを修正して前記第２の出力装置の色再現目標値を表すＬＵＴを作成するのが好ましい。
また、前記第１の出力装置および前記第２の出力装置は、単一チャンネルの色域を有することができる。
また、前記第１の出力装置および前記第２の出力装置は、複数チャンネルの色域を有してもよい。
【手続補正９】
【補正対象書類名】明細書
【補正対象項目名】００１６
【補正方法】変更
【補正の内容】
【００１６】
本発明に係る画像処理方法は、第１の出力装置における色再現に基づいて第２の出力装置の色再現目標値を生成する方法であって、前記第１の出力装置の色域情報と前記第２の出力装置の色域情報を取得し、取得された各色域情報に基づいて前記第１の出力装置の色再現目標値を前記第２の出力装置の色域に対応するように修正することにより前記第２の出力装置の色再現目標値を生成する方法である。
【手続補正１０】
【補正対象書類名】明細書
【補正対象項目名】００１７
【補正方法】変更
【補正の内容】
【００１７】
本発明に係る画像処理プログラムは、第１の出力装置における色再現に基づいて第２の出力装置の色再現目標値を生成する方法をコンピュータに実行させるための画像処理プログラムであって、前記第１の出力装置の色域情報と前記第２の出力装置の色域情報を取得するステップと、取得された各色域情報に基づいて前記第１の出力装置の色再現目標値を前記第２の出力装置の色域に対応するように修正することにより前記第２の出力装置の色再現目標値を生成するステップとを有するものである。
また、本発明に係る画像処理プログラム記憶媒体は、第１の出力装置における色再現に基づいて第２の出力装置の色再現目標値を生成する方法をコンピュータに実行させるための画像処理プログラムを格納する記録媒体であって、前記画像処理プログラムが、前記第１の出力装置の色域情報と前記第２の出力装置の色域情報を取得するステップと、取得された各色域情報に基づいて前記第１の出力装置の色再現目標値を前記第２の出力装置の色域に対応するように修正することにより前記第２の出力装置の色再現目標値を生成するステップとを有するものである。